(57)【要約】【課題】電動機の寿命を考慮し、省エネルギー効率をさらに高めた冷却ファンの駆動制御を可能とするように、界磁電流温度を算出できる機能を備えたモータ冷却制御システムを得る。【解決手段】インバータと、ファンモータと、ファンと、固定子巻線温度を算出する第１の演算部と、界磁巻線温度を算出する第２の演算部と、固定子巻線温度および界磁巻線温度に基づいてインバータを制御する出力周波数を特定する演算制御部と、を備え、第２の演算部は、アイドリング状態においては、ＶＡ法を用いて界磁巻線温度を算出し、アイドリング状態の後に行われる負荷運転中においては、アイドリング状態において算出した界磁巻線温度を初期値として、負荷運転条件に応じてあらかじめ記憶された補正量を初期値に対して加算することで、負荷運転時における界磁巻線温度を算出する。【選択図】図１
2019165536.tif 000002
【特許請求の範囲】
【請求項１】
固定子巻線および界磁巻線を有し、アイドリング状態を挟みながら連続運転される主機電動機の冷却制御を行うモータ冷却制御システムであって、
インバータと、
前記インバータにより駆動されるファンモータと、
前記ファンモータにより駆動されて冷却風を出力して、前記主機電動機の前記固定子巻線および前記界磁巻線が許容範囲内の温度を保つように冷却を行うファンと、
前記固定子巻線に関する固定子電流の計測結果に基づいて、固定子巻線温度を算出する第１の演算部と、
前記界磁巻線に関する界磁電流および界磁巻線電圧の計測結果に基づいて、界磁巻線温度を算出する第２の演算部と、
前記固定子巻線温度および前記界磁巻線温度に基づいて、前記固定子巻線および前記界磁巻線が前記許容範囲内の温度を保つのに必要な風量を前記ファンが発生するように前記インバータを制御する出力周波数を特定する演算制御部と、
を備え、
前記第２の演算部は、
前記アイドリング状態においては、ＶＡ法を用いて、前記アイドリング状態において計測された前記界磁電流および前記界磁巻線電圧から抵抗値を算出することで前記界磁巻線温度を算出し、
前記アイドリング状態の後に行われる負荷運転中においては、前記アイドリング状態において算出した界磁巻線温度を初期値として、負荷運転条件に応じてあらかじめ記憶された補正量を前記初期値に対して加算することで、前記負荷運転時における前記界磁巻線温度を算出する
モータ冷却制御システム。
【請求項２】
前記第２の演算部は、前記アイドリング状態になったことを示す信号を外部信号として受信するか、または、前記界磁電流の計測結果の時系列データが、許容変動量内に収まったと判断することで、前記アイドリング状態であると判断する
請求項１に記載のモータ冷却制御システム。
【請求項３】
前記第２の演算部は、前記負荷運転中においては、前記界磁電流の計測結果の時系列データから算出した電流二乗平方根平均値を用いて前記界磁巻線温度を算出する
請求項１または２に記載のモータ冷却制御システム。
【請求項４】
前記第２の演算部は、前記負荷運転中においては、冷却風量および前記出力周波数の少なくともいずれか一方、および前記界磁電流の計測結果の時系列データから算出した電流二乗平方根平均値、を用いて前記界磁巻線温度を算出する
請求項１または２に記載のモータ冷却制御システム。
【請求項５】
前記演算制御部は、
前記固定子巻線温度と前記界磁巻線温度とを比較し、
前記界磁巻線温度が固定子巻線温度よりも高い場合には、前記界磁巻線温度に基づいて前記出力周波数を特定し、
前記界磁巻線温度が固定子巻線温度以下の場合には、前記固定子巻線温度に基づいて前記出力周波数を特定する
請求項１から３のいずれか１項に記載のモータ冷却制御システム。
【発明の詳細な説明】
【技術分野】
【０００１】
本発明は、モータ冷却制御システムに関し、特に、インバータで駆動されるファンの回転速度を制御するために使用される界磁巻線温度を算出する機能を備えたモータ冷却制御システムに関するものである。
【背景技術】
【０００２】
従来のモータ冷却制御システムとして、省エネルギーを実現するための技術がある（例えば、特許文献１、２参照）。特許文献１に開示された従来のモータ冷却制御システムは、圧延用電動機の主回路電流と界磁電流の値から電動機の固定子巻線温度を算出し、圧延用電動機を冷却しているファンの風量を適切に制御することで、冷却ファンの省エネルギー化を図っている。具体的には、等価ＲＭＳを管理することにより巻線温度を算出して、巻線の加熱を防止しつつ、風量制御による省エネルギー化を図っている。
【０００３】
また、特許文献２に開示された従来の界磁巻線温度演算装置は、巻線の両端の電圧値と、巻線に流れる電流値とを検出して巻線抵抗値を計算するＶＡ法を適用し、巻線の温度を算出する方法が開示されている。このＶＡ法は、
界磁巻線電圧÷界磁電流＝界磁巻線抵抗∝界磁巻線温度
の原理により界磁巻線温度を算出するものである。
【先行技術文献】
【特許文献】
【０００４】
【特許文献１】特開２００４−１８０４５４号公報
【特許文献２】特開２００４−１８０４１４号公報
【発明の概要】
【発明が解決しようとする課題】
【０００５】
しかしながら、従来技術には、以下のような課題がある。
電動機の温度管理は、最も重要な管理指標の１つである。さらに、省エネルギー化を実現するための冷却ファンの風量を決定する上では、固定子巻線温度のみならず、界磁巻線温度の管理も、重要である。すなわち、固定子巻線温度の管理と界磁巻線温度の管理は、電動機を保護する上で重要な役割を果たす。
【０００６】
制御対象となる電動機が大型機の場合には、固定子巻線に、温度センサが組み込まれている。従って、この温度センサの検出結果に基づいて、固定子巻線の温度管理を行うことができる。しかしながら、界磁巻線（回転子）には、構造上、温度センサを組み込むことが困難である。
【０００７】
従って、圧延機など、トルク変動の大きな用途、すなわち界磁電流・界磁巻線電圧の変動が大きな電動機においては、これらから界磁巻線抵抗、すなわち界磁巻線温度を精度よく求めることが困難である。このため、このような用途に対する界磁巻線の温度管理は、固定子巻線温度と同程度と想定して行なわれている。
【０００８】
ここで、温度センサを組み込むことなしに界磁巻線温度を算出する手法として、特許文献２に開示されたＶＡ法を適用することが考えられる。しかしながら、特許文献２による巻線温度を求める方法においては、界磁巻線電圧値および界磁電流値にばらつきがある場合には、許容範囲外の検出値を除外して界磁巻線温度を算出している。
【０００９】
ここで、例えば、鉄鋼の圧延処理における電動機の温度管理を考えると、以下のような問題がある。すなわち、このような圧延処理では、温度の高い、つまり負荷の大きい圧延中における界磁巻線電圧値および界磁電流値のばらつきは、大きい。従って、このようなばらつきの大きな検出値を除外すると、実用的な界磁巻線温度の算出を行うことができないこととなる。
【００１０】
換言すると、比較的ばらつきの小さいアイドリング中、つまり温度が低く、負荷の小さい状態では、ＶＡ法を用いて界磁巻線温度を所望の精度で算出できる。しかしながら、負荷運転中、つまり負荷が大きい状態では、ＶＡ法を用いて界磁巻線温度を所望の精度で算出することができないといった課題がある。
【００１１】
このため、ＶＡ法を適用する場合に、圧延処理を行っている負荷運転中においては、温度の低い一部の状態において途切れ途切れに界磁巻線温度を算出することしかできず、圧延処理中の界磁巻線温度を適切に表示することができなかった。
【００１２】
本発明は、前記のような課題を解決するためになされたものであり、現状のシステムに比べて、省エネルギー効率をさらに高めた冷却ファンの駆動制御を可能とするように、界磁巻線温度を算出できる機能を備えたモータ冷却制御システムを得ることを目的とする。
【課題を解決するための手段】
【００１３】
本発明に係るモータ冷却制御システムは、固定子巻線および界磁巻線を有し、アイドリング状態を挟みながら連続運転される主機電動機の冷却制御を行うモータ冷却制御システムであって、インバータと、インバータにより駆動されるファンモータと、ファンモータにより駆動されて冷却風を出力して、主機電動機の固定子巻線および界磁巻線が許容範囲内の温度を保つように冷却を行うファンと、固定子巻線に関する固定子電流の計測結果に基づいて、固定子巻線温度を算出する第１の演算部と、界磁巻線に関する界磁電流および界磁巻線電圧の計測結果に基づいて、界磁巻線温度を算出する第２の演算部と、固定子巻線温度および界磁巻線温度に基づいて、固定子巻線および界磁巻線が許容範囲内の温度を保つのに必要な風量をファンが発生するようにインバータを制御する出力周波数を特定する演算制御部と、を備え、第２の演算部は、アイドリング状態においては、ＶＡ法を用いて、アイドリング状態において計測された界磁電流および界磁巻線電圧から抵抗値を算出することで界磁巻線温度を算出し、アイドリング状態の後に行われる負荷運転中においては、アイドリング状態において算出した界磁巻線温度を初期値として、負荷運転条件に応じてあらかじめ記憶された補正量を初期値に対して加算することで、負荷運転時における界磁巻線温度を算出するものである。
【発明の効果】
【００１４】
本発明によれば、電動機の負荷状況に応じて、界磁巻線温度の算出方法を切り替えることで、界磁巻線温度を高精度に算出できる構成を備えている。この結果、現状のシステムに比べて、省エネルギー効率をさらに高めた冷却ファンの駆動制御を可能とするように、界磁巻線温度を算出できる機能を備えたモータ冷却制御システムを得ることができる。
【図面の簡単な説明】
【００１５】
【図１】本発明の実施の形態１におけるモータ冷却制御システムの構成図である。
【図２】本発明の実施の形態１における省エネ演算制御部および回転子温度演算表示部によるインバータの出力周波数を演算する構成をまとめたブロック図である。
【図３】本発明の実施の形態１における界磁電流および界磁巻線電圧の測定に関する説明図である。
【図４】本発明の実施の形態１における界磁電流、界磁巻線電圧の測定結果、および算出された界磁巻線温度を示した説明図である。
【発明を実施するための形態】
【００１６】
以下、本発明のモータ冷却制御システムの好適な実施の形態につき図面を用いて説明する。
なお、本実施の形態においては、製鉄、製紙等に用いられる圧延設備等の比較的大型の直流モータあるいは交流モータを冷却するためのモータ冷却制御システムについて説明する。ただし、本願発明は、このような適用例に限らず、入出力トルク変動が小さくなる期間を有して運転される同期機について適用することも可能である。
【００１７】
実施の形態１．
図１は、本発明の実施の形態１におけるモータ冷却制御システムの構成図である。図１に示すモータ冷却制御システムは、主機電動機１１、ファン１２、ファンモータ１３、インバータ１４、省エネ演算制御部２０、および回転子温度演算表示部３０を備えて構成されている。
【００１８】
主機電動機１１は、固定子巻線を有する固定子と、界磁巻線を有する回転子とを備えて構成されている。ファン１２は、主機電動機１１に冷却風を供給する。従って、主機電動機１１は、ファン１２からの冷却風量の供給を受けて、固定子巻線および界磁巻線を冷却させながら、駆動することとなる。ファンモータ１３は、ファン１２に回転動力を与えるモータである。インバータ１４は、ファンモータ１３の電源駆動装置である。
【００１９】
省エネ演算制御部２０は、固定子巻線温度演算部２１および省エネ制御出力部２２を備えて構成されている。また、回転子温度演算表示部３０は、界磁巻線温度演算部３１、温度表示部３２およびパラメータ記憶部３３を備えて構成されている。
【００２０】
固定子巻線温度演算部２１は、主機電動機１１の負荷電流情報として固定子巻線電流を得て、固定子巻線温度を算出する。一方、界磁巻線温度演算部３１は、主機電動機１１の界磁電流および界磁巻線電圧に関する情報を得て、界磁巻線温度を算出する。そして、省エネ制御出力部２２は、固定子巻線温度演算部２１で算出された固定子巻線温度、および界磁巻線温度演算部３１で算出された界磁巻線温度に基づいて、インバータ１４の出力周波数を演算し、インバータ１４に当該周波数を指令する。
【００２１】
温度表示部３２は、界磁巻線温度演算部３１で算出された界磁巻線温度を表示する。なお、温度表示部３２は、必要に応じて、固定子巻線温度演算部２１で算出された固定子巻線温度を表示することも可能である。なお、温度表示部３２は、省略してもよい。
【００２２】
パラメータ記憶部３３は、界磁電流と温度の補正量ΔＴｆとの関係を、インバータ１４の出力周波数をパラメータとしてあらかじめ記憶している。
【００２３】
次に、省エネ演算制御部２０内の固定子巻線温度演算部２１および省エネ制御出力部２２と、回転子温度演算表示部３０内の界磁巻線温度演算部３１が連動して、最終的にインバータ１４の出力周波数を決定する流れについて、詳細に説明する。図２は、本発明の実施の形態１における省エネ演算制御部２０および回転子温度演算表示部３０によるインバータ１４の出力周波数を演算する構成をまとめたブロック図である。
【００２４】
図２に示したブロック図において、固定子巻線温度演算部２１は、負荷電流である固定子巻線電流Ｉａに基づいて、等価ＲＭＳ（Ｒｏｏｔ  Ｍｅａｎ  Ｓｑｕａｒｅ）を計算し、刻々と変化する等価ＲＭＳの値から固定子巻線の温度上昇値を計算することで、固定子巻線温度Ｔａを算出する。なお、固定子巻線温度演算部２１により固定子巻線温度Ｔａを算出する具体的な手法は、本願の出願人による先願である特許文献１に詳述されており、説明を省略する。
【００２５】
一方、界磁巻線温度演算部３１は、界磁電流Ｉｆ、界磁巻線電圧Ｖｆ’、およびアイドリング情報を取得する。ここで、「アイドリング情報」とは、主機電動機１１が圧延処理を行っていない期間、すなわち負荷運転中でない期間を示す情報を意味している。
【００２６】
図３は、本発明の実施の形態１における界磁電流Ｉｆおよび界磁巻線電圧Ｖｆ’の測定に関する説明図である。界磁電流Ｉｆは、界磁巻線に供給される電流値として計測される。また、界磁巻線電圧Ｖｆ’は、スリップリングを介して、界磁巻線抵抗Ｒｆ、ブラシ抵抗Ｒｂ１、Ｒｂ２、ケーブル抵抗Ｒｃ１、Ｒｃ２を考慮した電圧値として計測される。
【００２７】
図４は、本発明の実施の形態１における界磁電流Ｉｆ、界磁巻線電圧Ｖｆ’の測定結果、および算出された界磁巻線温度Ｔｆを示した説明図である。図４に示すように、主機電動機１１は、圧延処理が繰り返され、その結果、圧延処理間にアイドリング中の状態が存在する。
【００２８】
界磁電流Ｉｆおよび界磁巻線電圧Ｖｆ’は、圧延処理中においては、電流、電圧にノイズやリップル成分が含まれ、脈動が非常に大きく、絶縁アンプおよびローパスフィルタ（ＬＰＦ）を設けて、その成分を除去する必要がある（図３参照）。従って、界磁電流Ｉｆおよび界磁巻線電圧Ｖｆ’の正確な瞬時値を得ることは困難である。一方、アイドリング中においては、界磁電流Ｉｆおよび界磁巻線電圧Ｖｆ’は、圧延処理中と比較して安定しており、絶縁アンプおよびローパスフィルタを通過した後であっても、所望の精度で瞬時値を得ることができる。
【００２９】
そこで、本実施の形態１に係る界磁巻線温度演算部３１は、アイドリング中に取得した界磁電流Ｉｆおよび界磁巻線電圧Ｖｆ’に基づいて、既知のＶＡ法により界磁巻線の抵抗値を算出し、さらに算出した抵抗値から界磁巻線温度Ｔｆを算出する。換言すると、本願発明は、比較的安定領域にあるアイドリング時（すなわち、圧延をしていない＝界磁および固定子電流の変化が小さい＝温度変化が少ない時）に、ＶＡ法により界磁巻線温度Ｔｆを算出する点に技術的特徴を有している。
【００３０】
なお、界磁巻線温度演算部３１は、外部信号として、圧延処理を行うシステム側から、圧延処理が完了したことを示す信号を「圧延処理を行っていないことを示す信号」として取得することができる。また、界磁巻線温度演算部３１は、外部信号を受信する代わりに、固定子巻線電流Ｉａ、界磁電流Ｉｆが許容範囲内に収まる安定した状態が、あらかじめ決められた時間継続することで、アイドリング中であると判断することもできる。
【００３１】
図２の説明に戻り、省エネ制御出力部２２は、固定子巻線温度演算部２１で算出された固定子巻線温度Ｔａと、界磁巻線温度演算部３１で算出された界磁巻線温度Ｔｆとを取得し、工程２２１〜工程２２４を行うことで、省エネ効果を実現する風量を出力するためのインバータ１４の出力周波数を算出する。
【００３２】
具体的には、省エネ制御出力部２２は、工程２２１において、固定子巻線温度演算部２１で算出された固定子巻線温度Ｔａと、界磁巻線温度演算部３１で算出された界磁巻線温度Ｔｆとを比較する。そして、省エネ制御出力部２２は、界磁巻線温度Ｔｆが固定子巻線温度Ｔａ以上の場合には、工程２２２の処理に進み、界磁巻線温度Ｔｆが固定子巻線温度Ｔａ未満の場合には、工程２２３に進む。これは、常に温度の高い方を選択して適正な風量を決めるためのものである。
【００３３】
主機電動機１１の寿命に大きく影響を与えるのは、絶縁物に加わる最高温度である。従って、省エネ制御出力部２２は、工程２２１の判断処理を実行することで、より高い巻線温度に基づいて、インバータ１４の出力周波数を算出することとなる。
【００３４】
工程２２２に進んだ場合には、省エネ制御出力部２２は、主機電動機１１の温度として界磁巻線温度Ｔｆを使用し、インバータ１４の出力周波数を算出する。一方、工程２２３に進んだ場合には、省エネ制御出力部２２は、主機電動機１１の温度として固定子巻線温度Ｔａを使用し、インバータ１４の出力周波数を算出する。そして、最終的に、工程２２４において、省エネ制御出力部２２は、インバータ１４に対して出力周波数ｆを指令する出力処理を実行する。
【００３５】
なお、省エネ演算制御部２０は、温度上昇許容値があらかじめ設定されていれば、必要十分な風量となるように、インバータ１４の出力周波数を制御できる。この結果、本実施の形態１に係るモータ冷却制御システムは、変化する負荷に対応して、時々刻々必要十分な風量を実現することによって、電力量を抑制した省エネルギー制御を実現できる。
【００３６】
ここで、インバータ１４の出力周波数を求めるために、固定子巻線および界磁巻線の温度上昇を精度よく算出する必要がある。しかしながら、温度上昇は、過去の温度上昇の履歴の影響を大きく受け、現時点の負荷が同じでも、以前の温度上昇が高いか低いかによって現時点の温度上昇が異なる。このため、このような温度上昇の履歴の影響を加味する必要がある。
【００３７】
そこで、本実施の形態１に係る固定子巻線温度演算部２１および界磁巻線温度演算部３１は、特許文献１に記載された等価ＲＭＳという演算値を用いることにより、過去の温度上昇の履歴を加味して、温度上昇を算出し、算出結果に基づいて、インバータ１４の出力周波数の計算を行っている。
【００３８】
さらに、本実施の形態１に係る省エネ制御出力部２２は、界磁巻線温度Ｔｆと固定子巻線温度Ｔａのうち、高い方の巻線温度を使用してインバータ１４の出力周波数を計算することで、界磁巻線温度Ｔｆを考慮していない場合と比較して、より適切な風量制御を実現することができる。この結果、電動機の寿命を考慮し、省エネルギー効率をさらに高めた冷却ファンの駆動制御を可能とするように、界磁巻線電流温度を算出できる機能を備えたモータ冷却制御システムを得ることができる。
【００３９】
上述した手法によれば、アイドリング中において、界磁巻線温度Ｔｆの算出値を得ることができる。ただし、図４に示したように、負荷運転中に相当する圧延処理は、アイドリング状態を挟んで繰り返し実行される。従って、あるアイドリング期間後に実行される圧延処理により、界磁巻線温度は、それ以前のアイドリング期間で算出した値よりも高くなることも考えられる。
【００４０】
このような場合には、アイドリング状態とアイドリング状態の間をつなぐために、アイドリング中に算出した界磁巻線温度を初期値として、圧延処理の運転状況に合わせて、順次補正量ΔＴｆを初期値に加算することで、圧延処理中の界磁巻線温度Ｔｆを算出することが考えられる。
【００４１】
このような圧延処理中における界磁巻線温度の補正方法としては、以下のような手法が考えられる。第１の手法として、界磁巻線温度演算部３１は、圧延処理中においては、変動が大きい界磁電流Ｉｆの時系列データから、電流二乗平方根平均値（ＲＭＳ）としてＩｆｒｍｓｅｑを演算し、界磁巻線温度Ｔｆを算出することが考えられる。なお、この第１の手法は、本願の出願人による先願である特許文献１に詳述された技術を適用可能であり、説明を省略する。
【００４２】
また、第２の手法としては、インバータ１４の出力周波数をある固定値にした際の、界磁電流と温度の補正量ΔＴｆとの関係を、出力周波数をパラメータとしてあらかじめデータ収集し、パラメータ記憶部３３にテーブルとして記憶させておくことが考えられる。
すなわち、特許文献１に詳述された技術により、ΔＴｆは、Ｉｆｒｍｓｅｑより得られ、また、Ｉｆｒｍｓｅｑは、Ｉｆと熱時定数の関数として得られるが、
【数１】
2019165536.tif 000003
の関係があり、熱時定数は、熱伝達率、熱容量、および冷却風と接する部分の表面積により決まる値である。
【００４３】
ここで、冷却対象の熱容量および表面積は、一定だが、熱伝達率は、冷却風量により変化する。つまり、Ｉｆｒｍｓｅｑは、Ｉｆおよび冷却風量の関数となる。したがって、ΔＴｆを、Ｉｆおよび冷却風量をパラメータとする数値表として、あらかじめ記憶部に格納しておくことができる。なお、前述のとおり、界磁電流は大きく変動するので、圧延処理中のＩｆｒｍｓｅｑの最大値を用いてΔＴｆを求めることで、冷却システムの信頼性を高めることもできる。
【００４４】
この場合、界磁巻線温度演算部３１は、圧延処理中におけるインバータ１４の出力周波数、および圧延処理中に電流二乗平方根平均値（ＲＭＳ）として算出した界磁電流Ｉｆｒｍｓｅｑに対応する補正量ΔＴｆを、パラメータ記憶部３３内のテーブルから抽出する。
【００４５】
さらに、界磁巻線温度演算部３１は、圧延処理の直前のアイドリング中に算出した界磁巻線温度に対して、補正量ΔＴｆを加算することで、圧延処理中の界磁巻線温度Ｔｆを算出する。
【００４６】
以上のように、実施の形態１によれば、アイドリング中においては、高精度に測定可能な界磁電流および界磁巻線電圧に基づいて、ＶＡ法を用いて高精度に主機電動機の界磁巻線温度を算出し、負荷運転中においては、界磁電流等価ＲＭＳを利用してアイドリングとアイドリングの間を補正して高精度に主機電動機の界磁巻線温度を算出できる構成を備えている。この結果、現在の技術である主機冷却ファンの省エネシステムに関して、さらなる電動機の寿命を考慮し、界磁巻線温度のオンライン管理を実現することによって、より一層の省エネ効率を高めることができる。
【００４７】
特に、アイドリング中であれば、二乗平方根平均値による加工値を用いることなく、比較的変動の少ない実測値を用いることができ、冷却ファンの省エネ制御を高精度に実現できる。さらに、アイドリング中および負荷運転中のいずれの場合も、界磁巻線温度を考慮して冷却ファンの駆動周波数制御を行うことができる。このため、固定子巻線温度だけを考慮していた場合と比較して、より優れた省エネ効果を実現できる風量制御を行うことが可能となる。
【００４８】
換言すると、本願発明は、固定子巻線温度と界磁巻線温度とを比較し、より高い温度を選択して冷却風量を特定できる構成を備えている。この結果、経時的に変化する負荷に対応して、いずれの巻線も設定された許容温度上昇値以内とした上で、系全体として省エネルギーを図った風量制御を実現でき、精度のよい省エネルギー効率を達成できる。
【００４９】
さらに、ＶＡ法では所望の精度で界磁巻線温度を計測できない負荷運転時には、界磁電流等価ＲＭＳを利用してアイドリングとアイドリングの間を補正することで、高精度に界磁巻線温度の算出を行うことができる。なお、界磁巻線の入力部では、ノイズを除去するために、一例として１０Ｈｚ程度のローパスフィルタを採用することで、界磁巻線温度の算出精度をさらに向上させることが可能となる。
【符号の説明】
【００５０】
１１  主機電動機、１２  ファン、１３  ファンモータ、１４  インバータ、２０  省エネ演算制御部、２１  固定子巻線温度演算部（第１の演算部）、２２  省エネ制御出力部（演算制御部）、３０  回転子温度演算表示部、３１  界磁巻線温度演算部（第２の演算部）、３２  温度表示部、３３  パラメータ記憶部。
【図１】
2019165536.tif 000004
【図２】
2019165536.tif 000005
【図３】
2019165536.tif 000006
【図４】
2019165536.tif 000007